(57)【特許請求の範囲】
【請求項１】
コンクリート躯体の表面近傍に取り付けられ且つ中央に連通孔を有する支圧板と、
前記連通孔と連通する大径部と、途中の段部を介して縮径した縮径部とからなる外套管と、
前記連通孔の外縁部に係止するリングナットと、
該リングナットと一端側が螺合すると共に他端側が前記外套管の内側に延出する調整リングと、
該調整リングの他端側に連接し、後端部に沿ってテーパー状に縮径するトランペットと、
該トランペットの後端部に接続される鋼管と、
前記調整リングの一端側に係止すると共に緊張材が挿通して保持される複数の緊張材挿通孔を有する定着ブロックとを有し、
前記調整リング、前記トランペット及び前記鋼管の内部にはグラウトが充填されて成り、
前記大径部と前記トランペット及び前記鋼管との隙間には、前記外套管に対する前記鋼管又は前記トランペットの移動を許容し、前記隙間へのグラウトの侵入を阻止するための充填材が充填されていることを特徴とする緊張材の定着具。
【請求項２】
コンクリート躯体の表面近傍に取り付けられ且つ中央に連通孔を有する支圧板と、
前記連通孔と連通する大径部と、途中の段部を介して縮径した縮径部とからなる外套管と、
前記連通孔の外縁部に一端部が係止すると共に他端部に沿ってテーパー状に縮径し、該他端部が前記外套管の内側に延出するトランペットと、
該トランペットの他端部に接続されるパイプと、
前記トランペットの一端部に係止すると共に緊張材が挿通して保持される複数の緊張材挿通孔を有する定着ブロックとを有し、
前記調整リング、前記トランペット及び前記パイプの内部にはグラウトが充填されて成り、
前記大径部と前記トランペット及び前記パイプとの隙間には、前記外套管に対する前記パイプ又は前記トランペットの移動を許容し、前記隙間へのグラウトの侵入を阻止するための充填材が充填されていることを特徴とする緊張材の定着具。
【請求項３】
前記充填材は、発泡硬質ウレタンフォームであることを特徴とする請求項１又は２に記載の緊張材の定着具。
【発明の詳細な説明】
【０００１】
【発明の属する技術分野】
本発明は、例えば、橋梁の吊架用ケーブルの緊張工事等において用いられるＰＣ鋼より線等の緊張材の定着具と、定着具の設置方法に関するものである。
【０００２】
【従来の技術】
従来、例えば図３に示す緊張材の定着具１は、コンクリート躯体２の表面近傍に取り付けられる支圧板３と、この支圧板３の連通孔４に連通すると共にコンクリート躯体２の中に埋設される外套管５と、連通孔４の外縁部６に係止するリングナット７と、このリングナット７が一端側に螺合すると共に他端側が外套管５の内側に延出する調整リング８と、この調整リング８の他端側に連接し後端部１０ｂに沿ってテーパー状に縮径するトランペット１０と、このトランペット１０の後端部１０ｂに接続される鋼管１１と、前記調整リング８の一端側に係止すると共にＰＣ鋼より線１２、１２…が挿通して保持される複数の緊張材挿通孔１３、１３…を有する定着ブロック１４とから構成されている。
【０００３】
外套管５は、支圧板３に接続している大径部５ａと、途中に形成された段部５ｂを介して縮径した縮径部５ｃとを有しており、大径部５ａの内側には、トランペット１０との間に空隙部１５が設けられている。
【０００４】
また、縮径部５ｃと前記鋼管１１との間は、僅かな隙間が設けられており、このような構成の外套管５と鋼管１１とはいわゆる二重管構造に形成されて、鋼管１１が外套管５の内側で移動可能なように構成されている。
【０００５】
更に、調整リング８、トランペット１０及び鋼管１１の内部には、グラウト１６が充填されており、このグラウト１６の中にＰＣ鋼より線１２、１２…が埋め込まれた状態で敷設されている。
【０００６】
このような構成の緊張材の定着具１は、ＰＣ鋼より線１２、１２…が引張されて生ずる変動荷重が、一体に硬化したグラウト１６を経て鋼管１１に伝達される。この時、鋼管１１が外套管５の内側で引張方向へ移動することとなる。
そして、鋼管１１へ伝達された変動荷重がトランペット１０へ伝達され、次に、トランペット１０から調整リング８へ、調整リング８からリングナット７へ、リングナット７から支圧板３へと順次伝達されて、最終的に支圧板３からコンクリート躯体２へ伝達されることとなる。
【０００７】
【発明が解決しようとする課題】
この従来例の緊張材の定着具１においては、トランペット１０と鋼管１１との接続部分などからグラウト１６が漏れ出して空隙部１５内に貯留することがあり、その場合、トランペット１０と外套管５とが一体化した状態でグラウト１６が硬化してしまう。
このような状態になると、鋼管１１が外套管５の内側で移動できないので、鋼管１１へ伝達された変動荷重が支圧板３まで充分に伝達できないという問題点を有している。
【０００８】
従って、従来例における緊張材の定着具１においては、空隙部１５内でのグラウト１６の貯留を防ぐことにより、トランペット１０と外套管５とを一体化させないことに解決しなければならない課題を有している。
【０００９】
【課題を解決するための手段】
前記従来例の課題を解決する具体的手段として本発明は、コンクリート躯体の表面近傍に取り付けられ且つ中央に連通孔を有する支圧板と、前記連通孔と連通する大径部と、途中の段部を介して縮径した縮径部とからなる外套管と、前記連通孔の外縁部に係止するリングナットと、該リングナットと一端側が螺合すると共に他端側が前記外套管の内側に延出する調整リングと、該調整リングの他端側に連接し、後端部に沿ってテーパー状に縮径するトランペットと、該トランペットの後端部に接続される鋼管と、前記調整リングの一端側に係止すると共に緊張材が挿通して保持される複数の緊張材挿通孔を有する定着ブロックとを有し、前記調整リング、トランペット及び鋼管の内部にはグラウトが充填されて成り、前記大径部と前記トランペット及び前記鋼管との隙間には、前記外套管に対する前記鋼管又は前記トランペットの移動を許容し、前記隙間へのグラウトの侵入を阻止するための充填材が充填されていることを特徴とする緊張材の定着具を提供するものである。
【００１０】
また、本発明は、コンクリート躯体の表面近傍に取り付けられ且つ中央に連通孔を有する支圧板と、前記連通孔と連通する大径部と、途中の段部を介して縮径した縮径部とからなる外套管と、前記連通孔の外縁部に一端部が係止すると共に他端部に沿ってテーパー状に縮径し、該他端部が前記外套管の内側に延出するトランペットと、該トランペットの他端部に接続されるパイプと、前記トランペットの一端部に係止すると共に緊張材が挿通して保持される複数の緊張材挿通孔を有する定着ブロックとを有し、前記調整リング、トランペット及びパイプの内部にはグラウトが充填されて成り、前記大径部と前記トランペット及び前記パイプとの隙間には、前記外套管に対する前記パイプ又は前記トランペットの移動を許容し、前記隙間へのグラウトの侵入を阻止するための充填材が充填されていることを特徴とする緊張材の定着具を提供するものである。
【００１３】
そして、前記充填材は、発泡硬質ウレタンフォームである構成としたものである。
【００１４】
本発明に係る緊張材の定着具においては、外套管の大径部とトランペット等との間に上記の充填材が充填されるので、空隙部内にグラウトが貯留しない。即ち、従来例のように空隙部内でグラウトが硬化してトランペットと外套管とが一体化することがない。従って、鋼管が外套管の内側で常に移動できるので、鋼管へ伝達された変動荷重が支圧板まで確実に伝達できることとなる。
【００１５】
【発明の実施の形態】
次に、本発明の実施の形態について図面を参照しながら詳細に説明する。尚、理解容易のため、従来例に対応する部分には従来例と同一の符号を付けて説明する。
【００１６】
まず、図１において、符号２１は緊張材の定着具を示し、この定着具２１は、コンクリート躯体２の表面近傍に取り付けられる支圧板３と、この支圧板３の連通孔４に連通すると共にコンクリート躯体２の中に埋設される外套管５と、連通孔４の外縁部６に係止するリングナット７と、このリングナット７が一端側に螺合すると共に他端側が外套管５の内側に延出する調整リング８と、この調整リング８の他端側に連接し後端部１０ｂに沿ってテーパー状に縮径するトランペット１０と、このトランペット１０の後端部１０ｂに接続される鋼管１１と、前記調整リング８の一端側に係止すると共にＰＣ鋼より線１２、１２…が挿通して保持される複数の緊張材挿通孔１３、１３…を有する定着ブロック１４とから構成される。
【００１７】
支圧板３は、鉄板等の金属材で板状に形成されており、その厚さは一例として約５０ｍｍ程度であり、一辺の長さが例えば約３５０ｍｍ程度の正方形状に形成されており、その中央部には直径が例えば約２００ｍｍ程度の円形状の連通孔４が設けられている。
【００１８】
外套管５は、鋼材等の金属材で筒状に形成されており、連通孔４に対して溶接等の手段で接続している大径部５ａと、途中に形成された段部５ｂを介して縮径した縮径部５ｃとを有している。
大径部５ａの直径は、連通孔４と略対応するように例えば約２００ｍｍ程度であり、その長さは一例として約４３０ｍｍ程度であり、大径部５ａの適宜位置には水抜き用のパイプ２２が設けられている。
また、段部５ｂは例えば約３０ｍｍ程度の段差を有しており、縮径部５ｃの直径は例えば約１５０ｍｍ程度であってコンクリート躯体方向に所要長さ延設されている。
【００１９】
リングナット７は、内周にネジが切られており、該ネジ切り部が調整リング８の一端側８ａに螺着している。
調整リング８は、筒状に形成されており、途中に連通孔４を挿通して他端側８ｂが大径部５ａの内側に位置している。
【００２０】
トランペット１０は、略筒状に形成されており、先端部１０ａが調整リング８の他端側８ｂに接続すると共に、後端部１０ｂに沿ってテーパー状に縮径して形成されている。
そして、後端部１０ｂの内周面には止水用のＯリング２４を介在させて鋼管１１を接続しており、該接続位置には、図示しないブチルテープ及び収縮チューブを巻回している。
【００２１】
鋼管１１は、コンクリート躯体方向に所要長さ延設されており、その外周面は、前記縮径部５ｃの内周面と約４〜５ｍｍ程度の隙間が設けられており、このような構成の鋼管１１は、外套管５の内側に位置していわゆる二重管構造に形成されており、鋼管１１が外套管５の内側で移動可能なように構成されている。
【００２２】
定着ブロック１４は、円盤状に形成されており、その厚さは一例として約７０ｍｍ程度であり、直径が一例として約２２０ｍｍ程度に形成されている。また、定着ブロック１４には、緊張材挿通孔１３が複数設けられており、この緊張材挿通孔１３にＰＣ鋼より線１２が挿通して、端部の楔状のウエッジ２５によりＰＣ鋼より線１２が保持されている。
【００２３】
更に、調整リング８、トランペット１０及び鋼管１１の内部には、グラウト１６が充填されており、このグラウト１６の中にＰＣ鋼より線１２、１２…が埋め込まれた状態で敷設されている。
【００２４】
このように構成された外套管５における大径部５ａの内側には、トランペット１０との間に例えば約２０ｍｍ程度の隙間を有し（従来例における空隙部１５）、この隙間に充填材２３が充填されている。
充填材２３の充填は、鋼管１１と外套管５との隙間を利用して管の後部側から注入して行う。
なお、充填材２３は、特に発泡硬質ウレタンフォームであることが望ましい。
【００２５】
以上のような構成の緊張材の定着具２１は、従来例の場合と同様に、ＰＣ鋼より線１２、１２…が引張されて生ずる変動荷重が、一体に硬化したグラウト１６を経て鋼管１１に伝達され、次に、鋼管１１からトランペット１０へ、トランペット１０から調整リング８へ、調整リング８からリングナット７へ、リングナット７から支圧板３へと順次伝達されることとなる。
この場合、大径部５ａの内側には充填材２３が充填されているので、グラウトの漏出を防止できると共にグラウトが貯留できないので、従来例のようにグラウトが硬化してトランペットと外套管とが一体化しない。
【００２６】
次に、図２に第２実施例に係る緊張材の定着具３１を示す。この第２実施例において、前記第１実施例の緊張材の定着具２１と同一部分には同一符号を付してその詳細は省略する。また、各部材の材質も第１実施例のものと同様な場合は詳細な説明を省略する。
【００２７】
トランペット３２は、略筒状に形成されており、その先端部３２ａがＬ字状に折曲しており、この先端部３２ａが支圧板３の外側にネジ３３止め等の手段で固定されている。
また、トランペット３２の後端部３２ｂに沿ってテーパー状に縮径して形成されていると共に、該後端部３２ｂがパイプ３４と接続している。
【００２８】
パイプ３４は、ポリエチレン等の合成樹脂材で形成されており、コンクリート躯体方向に所要長さ延設されている。また、パイプ３４の外周面は、外套管５の前記縮径部５ｃの内周面と約４〜５ｍｍ程度の隙間が設けられており、パイプ３４と外套管５とで二重管構造に形成されている。
なお、図３中の符号３５は、ＰＣ鋼より線１２の端部側を覆うグラウトキャップを示し、符号３６は、定着ブロック１４の外側に取りつける防錆キャップを示す。
【００２９】
このように構成された第２実施例に係る緊張材の定着具３１は、大径部５ａの内側のトランペット３２との間に例えば約２０ｍｍ程度の隙間を有しており、この隙間に充填材２３が充填されている。
この場合、第１実施例の場合と同様に、大径部５ａの内側にグラウトの漏出を防止できると共にグラウトが貯留できないので、従来例のようにグラウトが硬化してトランペットと外套管とが一体化しない。
なお、充填材２３の充填は、パイプ３４と外套管５との隙間を利用して管の後部側から注入して行う。
【００３０】
【発明の効果】
以上説明したように本発明に係る緊張材の定着具、又は定着具の設置方法においては、外套管の大径部とトランペット等との間に充填材が充填されることから、グラウトの漏出を防止できると共にグラウトが貯留できないので、従来例のように空隙部内でグラウトが硬化してトランペットと外套管とが一体化しない。
従って、鋼管が外套管の内側で常に移動できるので、鋼管へ伝達された変動荷重が支圧板まで確実に伝達できるという優れた効果を奏する。
【図面の簡単な説明】
【図１】本発明の第１実施例に係る緊張材の定着具を設置した状態を示す断面図である。
【図２】本発明の第２実施例に係る緊張材の定着具を設置した状態を示す断面図である。
【図３】従来例に係る緊張材の定着具を設置した状態を示す断面図である。
【符号の説明】
１    緊張材の定着具
２    コンクリート躯体
３    支圧板
４    連通孔
５    外套管
５ａ  大径部
５ｂ  段部
５ｃ  縮径部
６    外縁部
７    リングナット
８    調整リング
８ａ  一端側
８ｂ  他端側
１０  トランペット
１０ａ先端部
１０ｂ後端部
１１  鋼管
１２  ＰＣ鋼より線
１３  緊張材挿通孔
１４  定着ブロック
１５  空隙部
１６  グラウト
２１  緊張材の定着具
２２  パイプ
２３  充填材
２４  Ｏリング
２５  ウエッジ
３１  緊張材の定着具
３２  トランペット
３２ａ先端部
３２ｂ後端部
３３  ネジ
３４  パイプ
３５  グラウトキャップ
３６  防錆キャップ
【図１】
0003875877.tif 000002
【図２】
0003875877.tif 000003
【図３】
0003875877.tif 000004